(57)【要約】【課題】加熱時のカップ本体における過度の内圧上昇を抑制できる蓋付カップ容器を提供すること。【解決手段】開口端２Ａがシール材によって封止されるカップ本体２と、カップ本体２に被着され、シール材１０を覆う天壁部１１を有する蓋体３と、を備え、天壁部１１の上面視において天壁部１１に形成された第１貫通孔１３の内側に向けて突出しかつその先端部が先鋭形状に形成された横針体２４を備えている。【選択図】図２
2015105122.tif 000002
【特許請求の範囲】
【請求項１】
開口端がシール材によって封止されるカップ本体と、
前記カップ本体に被着され、前記シール材を覆う天壁部を有する蓋体と、
を備える蓋付カップ容器であって、
前記天壁部の上面視において前記天壁部に形成された貫通孔の内側に向けて突出しかつその先端部が先鋭形状に形成された横針体を備えることを特徴とする蓋付カップ容器。
【請求項２】
前記横針体の基端部が、前記天壁部の外周縁部に位置することを特徴とする請求項１に記載の蓋付カップ容器。
【請求項３】
前記シール材を破断して開封する開封部材を備え、
前記天壁部の上面視において、前記開封部材と前記横針体とが互いに異なる位置に配置されていることを特徴とする請求項１または２に記載の蓋付カップ容器。
【発明の詳細な説明】
【技術分野】
【０００１】
本発明は、蓋付カップ容器に関するものである。
【背景技術】
【０００２】
この種の蓋付カップ容器としては、開口端がシール材によって封止されるカップ本体と、カップ本体に被着され、シール材を覆う天壁部を有する蓋体と、天壁部に形成された貫通孔の上方に配置され、シール材を破断して開封する開封部材と、を備える蓋付カップ容器が提案されている（例えば、特許文献１参照）。この開封部材は、ヒンジ溝を介して天壁部に連結されており、開封部材の切刃部は、ヒンジ溝を中心として下方に向けて回動可能となっている。
【０００３】
このような構成の蓋付カップ容器では、カップ本体内にレトルト食品などを密封収納した後で加熱処理される食品を収納しており、開封部材をヒンジ溝回りで回転させることによって開封部材の切刃部がシール材を破断して開封し、カップ本体内に収容されている内容物を外部へと取り出す。
【先行技術文献】
【特許文献】
【０００４】
【特許文献１】実用新案登録第２５８９１５１号公報
【発明の概要】
【発明が解決しようとする課題】
【０００５】
しかしながら、上記従来の蓋付カップ容器においても、以下の課題が残されている。すなわち、加熱時にカップ本体の内圧が過度に高くなることがあるという問題がある。
【０００６】
本発明は、前述の課題に鑑みてなされたもので、加熱時のカップ本体における過度の内圧上昇を抑制できる蓋付カップ容器を提供することを目的とする。
【課題を解決するための手段】
【０００７】
本発明は、上記のような課題を解決するために以下のような手段を採用した。すなわち、本発明の蓋付カップ容器は、開口端がシール材によって封止されるカップ本体と、前記カップ本体に被着され、前記シール材を覆う天壁部を有する蓋体と、を備える蓋付カップ容器であって、前記天壁部の上面視において前記天壁部に形成された貫通孔の内側に向けて突出しかつその先端部が先鋭形状に形成された横針体を備えることを特徴とする。
【０００８】
この発明では、貫通孔内に横針体の先端部を設けることにより、カップ本体の内圧が上昇してシール材が上方に膨出変形したときに、シール材のうち貫通孔内に進入した部分が横針体の先端部に当接し、横針体がこの部分を穿刺してシール材を開封する。これにより、カップ本体の内圧が解放され、カップ本体内の内容物から発生した例えば水蒸気などを逃がすことができる。したがって、カップ本体の内圧が過度に上昇することを回避できる。
また、横針体が天壁部の上面視において貫通孔の内側に向けて突出しているので、例えば横針体が天壁部から下方に向けて突出している構成と比較して、シール材が横針体の先端部に接触して不用意に開封されることをより確実に防止できる。
【０００９】
また、本発明の蓋付カップ容器は、前記横針体の基端部が、前記天壁部の外周縁部に位置してもよい。
この発明では、シール材の中で上方への膨出変形量が比較的小さい外周部分上に位置する天壁部の外周縁部に横針体を配置することにより、シール材の不意の変形によって横針体がシール材を開封してしまうことをより確実に防止できる。
【００１０】
また、本発明の蓋付カップ容器は、前記シール材を破断して開封する開封部材を備え、前記天壁部の上面視において、前記開封部材と前記横針体とが互いに異なる位置に配置されてもよい。
この発明では、開封部材と横針体とが天壁部の上面視において互いに異なる位置に配置されているので、開封部材に不意の外力が加えられても、横針体がシール材を誤って開封することを防止できる。
【発明の効果】
【００１１】
この発明にかかる蓋付カップ容器によれば、カップ本体の内圧上昇に伴ってシール材が上方に膨出変形して貫通孔内に進入すると、横針体がシール材のうちこの進入部分を穿刺するので、カップ本体の内圧を開放することができる。また、横針体の先端部が貫通孔内に位置しているので、例えば横針体が天壁部から下方に向けて突出している構成と比較して、横針体の先端部にシール材が不意に接触することを防止できる。
【図面の簡単な説明】
【００１２】
【図１】本発明の第１実施形態における蓋付カップ容器を示す部分斜視図である。
【図２】図１の蓋付カップ容器を示す断面斜視図である。
【図３】本発明の第２実施形態における蓋付カップ容器を示す上面図である。
【図４】図３の蓋付カップ容器を示す軸方向断面図である。
【図５】図３の蓋付カップ容器の動作を示す軸方向部分断面図である。
【図６】本発明の第３実施形態における蓋付カップ容器を示す上面図である。
【図７】図６の蓋付カップ容器を示す軸方向断面図である。
【図８】図６の蓋付カップ容器の動作を示す軸方向部分断面図である。
【図９】本発明の第４実施形態における蓋付カップ容器を示す上面図である。
【図１０】図９の蓋付カップ容器を示す軸方向断面図である。
【図１１】図９の蓋付カップ容器の動作を示す軸方向部分断面図である。
【発明を実施するための形態】
【００１３】
以下、本発明による蓋付カップ容器の第１実施形態を、図面に基づいて説明する。なお、以下の説明に用いる各図面では、各部材を認識可能な大きさとするために縮尺を適宜変更している。
【００１４】
本実施形態における蓋付カップ容器１には、例えばレトルト食品などの密封収納後に加熱処理される食品が収納されており、この蓋付カップ容器１は、例えば図１及び図２に示すように、内容物を収納する有底円筒状のカップ本体２と、カップ本体２に被着される有頂円筒状の蓋体３と、蓋体３に設けられた開封部材４と、蓋体３及び開封部材４を覆う有頂円筒状のオーバーキャップ５と、を備える。
なお、カップ本体２、蓋体３及びオーバーキャップ５は、それぞれの中心軸が共通軸上に位置している。以下、この共通軸を容器軸Ｏと称し、容器軸Ｏに沿うオーバーキャップ５側を上側とし、その反対側を下側とする。また、容器軸Ｏ回りの方向を周方向とし、上面視において容器軸Ｏと直交する方向を径方向とする。
【００１５】
カップ本体２は、上端が上方に向けて開口する開口端２Ａとされており、この開口端２Ａは、シール材１０によって封止されている。また、カップ本体２の上端には、径方向外側に向けて突出するフランジ部２Ｂが全周にわたって形成されている。
【００１６】
蓋体３は、シール材１０を上方から覆う上面視で円板状の天壁部１１と、天壁部１１の外周縁に連設された円筒状の側壁部１２と、を有する。
天壁部１１には、天壁部１１を貫通する一対の第１貫通孔（貫通孔）１３、第２貫通孔１４及び溝部１５と、折曲可能な一対の第１ヒンジ部１６及び一対の第２ヒンジ部１７と、が形成されている。また、天壁部１１には、開封部材４を保持する一対の保持部１８が上方に向けて突設されている。
第１貫通孔１３は、上面視で天壁部１１の外周縁から径方向内側に向けて突出する半円状をなしており、容器軸Ｏを径方向で挟む両側に形成されている。
第２貫通孔１４は、一部が天壁部１１の中央部に位置するように配置されており、開封部材４のうち後述する操作部３２の外縁形状に沿った内縁形状を有する。
【００１７】
溝部１５は、径方向に沿う一方側が閉塞しかつ他方側が開口するように延びる上面視でＵ字状またはＶ字状をなすスリットである。以下、径方向に沿う一方側を前側、他方側を後側と称し、一方側と他方側とを結ぶ方向を前後方向と称する。本実施形態では、溝部１５は、閉塞した前側が天壁部１１の外周縁部に位置し、開口した後側が天壁部１１の径方向中央部に位置するように配置されている。また、溝部１５には、その側壁同士を部分的に接続するブリッジ（図示略）が設けられている。なお、溝部１５は、開封部材４を含む溝部１５よりも内側部分を天壁部１１に対して変位可能とする構成であれば、天壁部１１に対して薄肉に形成された薄肉部や、スリットのみの構成であってもよい。
【００１８】
第１ヒンジ部１６は、天壁部１１のうち上面視でＵ字状またはＶ字状をなす溝部１５で囲まれた領域に配置されている。そして、第１ヒンジ部１６は、上面視において溝部１５のうち前後方向に延びる一対の延伸部分から前後方向に直交する直交方向Ａに沿って各別に上記領域内に向けて延在しており、同一直線上に配置されている。なお、第１ヒンジ部１６は、天壁部１１の上面を窪ませることによって形成されている。
【００１９】
第２ヒンジ部１７は、第１ヒンジ部１６よりも溝部１５の後側に配置されている。そして、第２ヒンジ部１７は、上面視において溝部１５の上記一対の延伸部分から上記直交方向Ａに沿って上記領域内に向けて延在しており、同一直線上に配置されている。なお、第２ヒンジ部１７は、天壁部１１の下面を窪ませることによって形成されている。
なお、第２貫通孔１４は、天壁部１１において溝部１５の一対の延伸部分同士の間に位置する部分に配置されている。
【００２０】
一対の保持部１８は、天壁部１１のうち開封部材４よりも後側に位置する部分に設けられている。そして、一対の保持部１８の間隔は、開封部材４の後述する捲上部３３の第１ヒンジ部１６近傍における幅と同等となっており、この捲上部３３を係止可能に形成されている。また、保持部１８は、天壁部１１の上面から上方に向けて突設されており、保持部１８のうち互いに対向する面には、保持突出部１８Ａが互いに向けて突設されている。
【００２１】
側壁部１２は、天壁部１１の外周縁から上方に向けて連設された円筒状の筒壁部２１と、天壁部１１の外周縁から径方向外側に向けて全周にわたって突設された上面視で円環状の環状板部２２と、環状板部２２の外周縁から下方に向けて延設された円筒状の取付筒部２３と、を有する。
筒壁部２１のうち周方向で第１貫通孔１３に対応する部分における下端部には、上面視で第１貫通孔１３の内側に向けて直交方向Ａに沿って突出する横針体２４が設けられている。
【００２２】
横針体２４は、上面視で三角形状をなす板状の本体部２５と、本体部２５の上面に設けられた支持リブ部２６と、を有する。
本体部２５の先端部は、先鋭形状に形成されており、上面視において第１貫通孔１３内に位置する。また、本体部２５の先端部は、支持リブ部２６よりも上面視において第１貫通孔１３内に突出している。
また、筒壁部２１のうち容器軸Ｏを径方向で挟む溝部１５の前端縁の反対側には、開封部材４の後述する操作部３２の前側部分を収容可能な切欠部２１Ａが形成されている。
【００２３】
開封部材４は、それぞれ板状をなす切刃部３１、操作部３２及び捲上部３３を有しており、上面視において横針体２４を回避した部分に配置されている。
切刃部３１は、天壁部１１のうち溝部１５で囲まれた領域のなかで、第１ヒンジ部１６よりも溝部１５の前側に位置する。そして、切刃部３１は、上面視で天壁部１１の外周縁に角部が位置する三角形状をなしている。
【００２４】
操作部３２は、中央部分に上面視で円状の引掛開口部３２Ａが形成された円環状をなしており、外縁の一部が径方向外側に向けて延出している。そして、この操作部３２の上記一部は、切刃部３１の後端部における上記直交方向Ａ方向の中央部分に接続されている。また、操作部３２の上記一部は、後側に向かうにしたがって上方に向けて延在しており、操作部３２のうち上記一部を除いて天壁部１１とほぼ平行となるように配置されている。操作部３２の引掛開口部３２Ａにユーザの指などを入れることにより、この指などを操作部３２に引っ掛けることができる。
【００２５】
捲上部３３は、天壁部１１のうち溝部１５で囲まれた領域のなかで、第２貫通孔１４及び操作部３２を上記直交方向Ａで挟む両側に位置している。また、捲上部３３は、上面視で前後方向に延びる帯状をなしている。捲上部３３は、溝部１５における上記一対の延伸部分により画成されている。そして、捲上部３３の前端部は、第１ヒンジ部１６に連結されており、捲上部３３の後端部は、第２ヒンジ部１７に連結されている。
【００２６】
シール材１０は、例えばアルミ蒸着シートなどのバリア性シート材で構成されており、下面に接着層が形成されている。そして、シール材１０は、天壁部１１、切刃部３１、捲上部３３及び環状板部２２それぞれの下面とフランジ部２Ｂの上面とに高周波接着されており、カップ本体２内の内容物が外部に漏出しないように封止している。これにより、蓋体３は、カップ本体２に対して着脱不能に取り付けられている。なお、シール材１０としてバリア性シートを使用した場合には、空気などがカップ本体２内に進入して内容物が変質することを防止することもできる。
【００２７】
オーバーキャップ５は、上面視で円状の頂壁部４１と、頂壁部４１の外縁から下方に向けて延設された円筒状の周壁部４２と、を有する。周壁部４２は、筒壁部２１及び取付筒部２３の外側に取外し可能に被着されている。
【００２８】
次に、以上のような構成の蓋付カップ容器１の動作につい説明する。
オーバーキャップ５を取り外した状態で蓋付カップ容器１の内容物を加熱すると、内容物に含まれる水分に起因する水蒸気などによってシール材１０で密封されているカップ本体２の内圧が上昇する。これに伴い、シール材１０は、上方に向けて膨出変形する。シール材１０が上方に膨出すると、シール材１０のうち第１貫通孔１３内に進入した部分は、横針体２４の先端部に接触する。このため、シール材１０が開封されてカップ本体２内の水蒸気などが第１貫通孔１３を通して蓋付カップ容器１の外部へ放出される。これにより、上昇したカップ本体２の内圧が開放される。
ここで、横針体２４の先端部が第１貫通孔１３内に位置しており、天壁部１１から下方に突出していないので、シール材１０が膨出変形していない状態で横針体２４の先端部が不意にシール材１０に接触してシール材１０が開封されてしまうことを防止する。
【００２９】
加熱した内容物を取り出す際には、まず、操作部３２の引掛開口部３２Ａに指などを引っ掛けた状態で操作部３２を第１ヒンジ部１６回りで回動させて上方に引き起こす。これにより、操作部３２に接続された切刃部３１が下方に向けて回動する。
切刃部３１が下方に向けて回動すると、切刃部３１の外縁部がシール材１０に当接しているので、切刃部３１がシール材１０を破断する。このように、操作部３２を引き起こすことで、シール材１０に開口が形成される。
【００３０】
操作部３２を引き起こした後に、操作部３２を天壁部１１の後側に向けて引き上げると、上記ブリッジが破断される。これにより、一対の捲上部３３それぞれが天壁部１１に対して上方に捲り上げられる。ここで、切刃部３１及び一対の捲上部３３それぞれの下面にシール材１０が接着されているので、シール材１０は捲上部３３の捲り上げに伴って破断される。
これにより、切刃部３１により形成された開口が捲上部３３を捲り上げる動作に伴って拡大されていき、シール材１０に大きな開口が形成される。なお、一対の捲上部３３間におけるシール材１０も、捲上部３３と共に上方に捲り上げられる。捲上部３３は、第２ヒンジ部１７回りに引き起こされる。
【００３１】
捲上部３３を引き起こした後、捲上部３３を捲り上げ方向に沿って引き倒し、切刃部３１または一対の捲上部３３の側縁を保持部１８に係止する。これにより、捲上部３３の捲上状態が保持され、捲上部３３が弾性復帰してシール材１０に形成された開口を塞ぐことが回避される。
また、操作部３２において切刃部３１に接続される部分は、筒壁部２１の切欠部２１Ａに収容される。このとき、上記接続される部分が切欠部２１Ａに係合されるように構成してもよい。以上のようにして、蓋付カップ容器１が開封される。
【００３２】
本実施形態における蓋付カップ容器１によれば、カップ本体２の内圧上昇に伴う上方への膨出変形によってシール材１０のうち第１貫通孔１３内に進入した部分が横針体２４の先端部によって穿刺されるので、カップ本体２の内圧が解放される。
また、横針体２４の先端部が第１貫通孔１３内に位置しているので、横針体２４の先端部が天壁部１１から下方に向けて突出している場合と比較して、シール材１０が横針体２４の先端部に不意に接触してシール材１０が不意に開封されることを確実に防止できる。ここで、横針体２４の先端部がシール材１０のうち上方への膨出変形量が比較的小さい天壁部１１の外周部分に配置されているので、シール材１０の不意の変形などによって横針体２４がシール材１０を開封することをより確実に防止できる。
さらに、開封部材４が上面視において横針体２４と重ならないように配置されているので、開封部材４に不意の外力が加えられても、横針体２４がシール材１０を誤って開封することを防止できる。
【００３３】
次に、本発明における蓋付カップ容器の第２実施形態について説明する。なお、ここで説明する実施形態は、その基本的構成が上述した第１実施形態と同様であり、上述の第１実施形態に別の要素を付加したものである。したがって、図３から図５においては、図１及び図２と同一の構成要素に同一符号を付し、その説明を省略する。
【００３４】
本実施形態における蓋付カップ容器５０の蓋体５１では、図３及び図４に示すように、天壁部５２に１つの貫通孔５３と１つの横針体５４とが形成されている。
貫通孔５３は、天壁部５２の外周縁のうち周方向で切欠部２１Ａに対応する部分から前方に向けて延在している。
横針体５４は、筒壁部２１のうち切欠部２１Ａが形成されている部分の下端部から前側に向けて突設されている。横針体５４は、上面視で三角形状の板状をなしており、横針体５４の先端部は、上面視で貫通孔５３内に位置する。
【００３５】
開封部材５５は、板状をなす切刃部５６、操作部５７及び一対の捲上部５８を有する。
切刃部５６は、上面視で天壁部５２の外周縁に角部が位置する三角形状をなしており、切刃部５６の後端部は、貫通孔５３によって、前後方向に直交する直交方向Ｂに沿って２つに分岐されている。
操作部５７は、切刃部５６のうち直交方向Ｂにおいて上記２つに分岐された部分の間に配置されており、後側に向かうにしたがって上方に向けて延在している。
捲上部５８それぞれは、前後方向に沿う帯状をなしており、溝部１５における上記一対の延伸部分により画成されている。
【００３６】
以上のような構成の蓋付カップ容器５０においても、オーバーキャップ５を取り外した状態で蓋付カップ容器５０の内容物を加熱すると、シール材１０が上方に向けて膨出変形する。そして、図５に示すように、シール材１０のうち貫通孔５３内に進入した部分は、横針体５４の先端部に接触する。これにより、シール材１０が開封され、カップ本体２内の水蒸気などは、貫通孔５３を通して蓋付カップ容器５０の外部へ放出される。なお、加熱した内容物の取出方法は、上述した第１実施形態における蓋付カップ容器１と同様である。
【００３７】
本実施形態における蓋付カップ容器５０によっても、上述した第１実施形態における蓋付カップ容器１と同様の作用、効果を奏する。
【００３８】
次に、本発明における蓋付カップ容器の第３実施形態について説明する。なお、ここで説明する実施形態は、その基本的構成が上述した第１及び第２実施形態と同様であり、上述の第１及び第２実施形態に別の要素を付加したものである。したがって、図６から図８においては、図１から図５と同一の構成要素に同一符号を付し、その説明を省略する。
【００３９】
本実施形態における蓋付カップ容器６０の蓋体６１では、図６及び図７に示すように、天壁部６２に１つの貫通孔６３と１つの横針体６４とが形成されている。
貫通孔６３は、一部が天壁部５２の中央部に形成された第１部分６３Ａと、第１部分６３Ａに後側から繋げられ、上面視で半円状をなす第２部分６３Ｂと、を有する。
第１部分６３Ａは、開封部材４のうち操作部３２の外縁形状に沿った内縁形状を有しており、上面視において開封部材４の操作部３２によって覆われている。
【００４０】
横針体６４は、第２実施形態における横針体５４と同様に、筒壁部２１のうち切欠部２１Ａが形成されている部分の下端部から前側に向けて突設されている。横針体６４は、上面視で三角形状の板状をなす本体部６５と、本体部６５の上面に設けられた支持リブ部６６と、を有する。本体部６５の先端部は、上面視で貫通孔６３内に位置する。
【００４１】
以上のような構成の蓋付カップ容器６０においても、オーバーキャップ５を取り外した状態で蓋付カップ容器６０の内容物を加熱すると、シール材１０が上方に向けて膨出変形する。そして、図８に示すように、シール材１０のうち貫通孔６３内に進入した部分は、横針体６４の先端部に接触する。これにより、シール材１０が開封され、カップ本体２内の水蒸気などは、貫通孔６３を通して蓋付カップ容器６０の外部へ放出される。なお、加熱した内容物の取出方法は、上述した第１及び第２実施形態における蓋付カップ容器１、５０と同様である。
【００４２】
本実施形態における蓋付カップ容器５０によっても、上述した第１及び第２実施形態における蓋付カップ容器１、５０と同様の作用、効果を奏する。
【００４３】
次に、本発明における蓋付カップ容器の第４実施形態について説明する。なお、ここで説明する実施形態は、その基本的構成が上述した第１から第３実施形態と同様であり、上述の第１から第３実施形態に別の要素を付加したものである。したがって、図９から図１１においては、図１から図８と同一の構成要素に同一符号を付し、その説明を省略する。
【００４４】
本実施形態における蓋付カップ容器７０の蓋体７１では、図９及び図１０に示すように、天壁部７２に１つの貫通孔７３と１つの横針体７４とが形成されている。
貫通孔７３は、一部が天壁部７２の中央部に形成されており、上面視で円状をなしている。
横針体７４は、天壁部７２のうち貫通孔７３の開口縁部近傍に設けられており、上面視で三角形状をなしている。横針体７４の先端部は、先鋭形状に形成されており、貫通孔７３内に位置する。
【００４５】
開封部材７５は、板状をなす切刃部７６、操作部７７及び一対の捲上部７８を有する。
切刃部７６は、第１実施形態における切刃部３１と同様に、上面視で天壁部７２の外周縁に角部が位置する三角形状をなしている。
操作部７７は、第２実施形態における操作部５７と同様に、後側に向かうにしたがって上方に向けて傾くように延在している。
捲上部７８それぞれは、上面視で前後方向に延びる帯状をなしており、溝部７９における上記一対の延伸部分により画成されている。
【００４６】
以上のような構成の蓋付カップ容器７０においても、オーバーキャップ５を取り外した状態で蓋付カップ容器７０の内容物を加熱すると、シール材１０が上方に向けて膨出変形する。そして、図１１に示すように、シール材１０のうち貫通孔７３内に進入した部分は、横針体７４の先端部に接触する。これにより、シール材１０が開封され、カップ本体２内の水蒸気などは、貫通孔７３を通して蓋付カップ容器７０の外部へ放出される。なお、加熱した内容物の取出方法は、上述した第１から第３実施形態における蓋付カップ容器１、５０、６０と同様である。
【００４７】
本実施形態における蓋付カップ容器７０によっても、上述した第１から第３実施形態における蓋付カップ容器１、５０、６０と同様の作用、効果を奏する。
【００４８】
なお、本発明は上記実施形態に限定されるものではなく、本発明の趣旨を逸脱しない範囲において種々の変更を加えることができる。
例えば、シール材は、天面部、切刃部及び捲上片それぞれの下面に高周波接着されているが、高周波接着に限らず、熱溶着や超音波溶着などの他の溶着、接着剤を用いた接着など、他の固着方法を用いて固着されてもよい。
また、シール材は、天壁部、切刃部、捲上部及び環状板部それぞれの下面に溶着されずにカップ本体のフランジ部にのみ固着されてもよく、蓋体は、例えば取付筒部をアンダーカット嵌合などの方法によりフランジ部に装着することによって、カップ本体に対して着脱可能に取り付けられてもよい。このような場合でも、カップ本体の内圧上昇に伴ってシール材が上方に膨張変形することによって、横針体がシール材を穿刺できる。
さらに、シール材は、アルミ蒸着シートなどのバリア性シート材で構成されたものに限らず、例えば合成樹脂フィルムをアルミニウムなどの金属膜で被覆した熱融着性樹脂シートや樹脂フィルムなど、カップ本体内の内容物に応じて適宜変更してもよい。
【００４９】
横針体は、１つまたは２つ設けられているが、少なくとも１つ形成されていればよく、３つ以上設けられていてもよい。また、横針体は、先端部が天壁部と平行となるように延設されているが、径方向内側に向かうにしたがって若干下方や上方に向かうように傾斜させると共に先端部を貫通孔内に位置付ける構成としてもよい。
【００５０】
開封部材は、単に操作部を第１ヒンジ部回りで回動させて上方に引き起こすことで切刃部がシール材を破断させることによってシール材を開封する方法や、開封前の状態で操作部を後側に向けて引き寄せることでシール材を破断させることによってシール材を開封する方法など、他の方法でシール材を開封してもよい。
また、開封部材は、上面視で横針体を回避した部分に配置されているが、上面視で横針体と重なる部分に配置されてもよい。さらに、開封部材を設けなくてもよい。
【産業上の利用可能性】
【００５１】
この発明によれば、加熱時のカップ本体における過度の内圧上昇を抑制できる蓋付カップ容器に関して、産業上の利用可能性が認められる。
【符号の説明】
【００５２】
１，５０，６０，７０  蓋付カップ容器、２  カップ本体、２Ａ  開口端、３，５１，６１，７１  蓋体、４，５５，７５  開封部材、１０  シール材、１１，５２，６２，７２  天壁部、１３  第１貫通孔（貫通孔）、２４，５４，６４，７４  横針体、５３，６３，７３  貫通孔
【図１】
2015105122.tif 000003
【図２】
2015105122.tif 000004
【図３】
2015105122.tif 000005
【図４】
2015105122.tif 000006
【図５】
2015105122.tif 000007
【図６】
2015105122.tif 000008
【図７】
2015105122.tif 000009
【図８】
2015105122.tif 000010
【図９】
2015105122.tif 000011
【図１０】
2015105122.tif 000012
【図１１】
2015105122.tif 000013